(57)【要約】      （修正有）【課題】メガネのフレームに左右一対のレンズを確実に装着することができ、レンズもしくはフレームを個別に交換することができるメガネフレームを提供する。【解決手段】メガネフレームは、左右一対のレンズが装着され、左右両側にヨロイ部１ａが形成され、中央にブリッジ部１ｂが形成され、ヨロイ部とブリッジ部の間にはレンズ装着部が形成され、左右両側のヨロイ部とレンズ装着部及びブリッジ部は１本状に形成され、レンズ装着部には複数のネジ止め用の小孔１ｄが形成され、レンズ５には小孔に対応する位置に透孔５ａが形成され、小孔と透孔に挿通したネジによってフレームにレンズを装着する。【選択図】図４
0003208441.tif 000002
【実用新案登録請求の範囲】
【請求項１】
左右一対のレンズが装着されるフレームは、左右両側の形成されたヨロイ部と中央のブリッジ部が形成され、前記ヨロイ部とブリッジ部の間にはレンズ装着部が形成され、
これら左右両側のヨロイ部とレンズ装着部及びブリッジ部は１本状に形成され、
前記レンズ装着部には前記レンズが装着される位置に複数のネジ止め用の小孔が形成され、
前記レンズには前記小孔に対応する位置に透孔が形成され、前記フレームに前記レンズを当接するとともに、前記小孔と前記透孔を挿通したネジによって装着してなるメガネフレーム。
【請求項２】
フレームには、使用者の顔面側に対応する内方に左右一対のレンズを装着させ、前記フレームの外方を露出させた請求項１に記載のメガネフレーム。
【考案の詳細な説明】
【技術分野】
【０００１】  本考案は、左右一対のレンズを装着するフレームが１本状に形成されたメガネフレームに関する。
【背景技術】
【０００２】  従来の眼鏡の形態には、さまざまな種類があり、材質およびレンズの支持構造によって分類することができる。レンズの支持構造としては、レンズをリムで支持固定する形式やリムを用いずにレンズを支持するリムレスの形式がある。特にリムレス方式のメガネは、特許文献１乃至特許文献７に開示されているように、左右一対のレンズをベース構造として、左右のレンズの外側にヨロイを固定し、各レンズの間にブリッジを固定し、これら一対のレンズとヨロイ及びブリッジを結合することによってメガネを構成している。
【先行技術文献】
【特許文献】
【０００３】
【特許文献１】特開平１０−２０２５８号公報
【特許文献２】特開平１０−１８６２８５号公報
【特許文献３】特開２００６−１１９３８２号公報
【特許文献４】特開２００７−１３９９３３号公報
【特許文献５】特開２００７−１９３０４１号公報
【特許文献６】特開２０１５−１９１２３１号公報
【特許文献７】実用新案登録第３０１８０３号公報
【考案の概要】
【考案が解決しようとする課題】
【０００４】    特許文献１乃至特許文献７に示されるリムレス方式のメガネは、左右のレンズを構造母体としてヨロイとブリッジを接着剤もしくはビスによって固定している。レンズは、ガラス或いはプラスチックによって形成され、しかも、リムレスの特徴から小型のヨロイとブリッジを使用するため、ヨロイやブリッジに衝撃を与えた場合にレンズにストレスが加わり、破損させる問題が生じていた。【０００５】  一方、この種のメガネは、デザイン性が重視される。このため、レンズの形状、リムを使用者の好みに応じて選択するが、例えばレンズのみを替える場合であっても、リムが一体となって固定されているので、全てを替える必要があり、結果として高額になる問題を有していた。【０００６】  本考案が解決しようとする課題は、メガネのフレームに左右一対のレンズを確実に装着することができ、レンズもしくはフレームを個別に交換することができるメガネフレームを提供することにある。
【課題を解決するための手段】
【０００７】  そこで、本考案によるメガネフレームは、左右一対のレンズが装着されるフレームは、左右のヨロイ部と中央のブリッジ部とを１本状に形成され、前記フレームには前記レンズが装着される位置に複数のネジ止め用の小孔が形成され、前記レンズには前記小孔に対応する位置に透孔が形成され、前記フレームに前記レンズを当接するとともに、前記小孔と前記透孔を挿通したネジによって装着することを要旨としている。【０００８】  また、フレームには、使用者の顔面側に対応する内方に左右一対のレンズを装着させ、前記フレームの外方を露出させるようにしている。
【考案の効果】
【０００９】  本考案によれば、左右一対のレンズが装着されるフレームが、左右のヨロイ部と中央のブリッジ部とを１本状に形成しているので、フレーム自体に十分な強度を有していることから、例えレンズもしくはフレームに衝撃を与えた場合であっても、破損をさせる問題を解消させることが可能となる。また、フレームにレンズをネジによって装着するので、必要な固定強度が得られる上に、レンズ或いはフレームを任意に交換することが可能となるので、使用者の好みのデザインや仕様に応じて選択することが可能になる。【００１０】  また、左右一対のレンズを使用者の顔面側に対応するようにフレームの内方に装着しているので、万一メガネに外方から衝撃が与えられた場合であっても、レンズの面によって使用者の顔面に当たるので、使用者に怪我をさせることを未然に防止することが可能となる。さらに、フレームが外方に露出しているので、フレームに好みに応じたデザインの装飾を施すことが可能であり、使用者の多様な好みやニーズに応えることができる。
【図面の簡単な説明】
【００１１】
【図１】本考案に関わるメガネフレームの実施例を示す斜視図である。
【図２】図１に示すメガネフレームの上面図である。
【図３】（Ａ）（Ｂ）は、レンズにフレームを装着する実施例を示す断面図である。
【図４】フレームに他の形状のレンズを装着する状態を示す分解斜視図である。
【考案を実施するための形態】
【００１２】  本考案によるメガネフレームは、左右一対のレンズが装着され、左右両側の形成されたヨロイ部と中央のブリッジ部が形成され、前記ヨロイ部とブリッジ部の間にはレンズ装着部が形成され、これら左右両側のヨロイ部とレンズ装着部及びブリッジ部は１本状に形成され、前記レンズ装着部には前記レンズが装着される位置に複数のネジ止め用の小孔が形成され、前記レンズには前記小孔に対応する位置に透孔が形成され、前記フレームに前記レンズを当接するとともに、前記小孔と前記透孔を挿通したネジによって装着する。
【００１３】  以下、図面に基づいて本考案の実施例を詳細に説明する。図１及び図２は、本考案に関わるメガネフレームの実施例を示している。フレーム１は、左右両側に湾曲させたヨロイ部１ａと、中央には、略半円形に形成されたブリッジ部１ｂが設けられ、これらヨロイ部１ａとブリッジ部１ｂは連続した１本状に形成され、これらの間には各々レンズ装着部１ｃが形成されている。また、ブリッジ部１ｂには一対のノーズパッド２が取り付けられている。さらに、各ヨロイ部１ａの先端には、ヒンジ部３が各々設けられ、両ヒンジ部３にはテンプル４が回動可能に取り付けられている。
【００１４】  フレーム１のレンズ装着部１ｃは、使用者の耳の位置と鼻の位置の高さに合わせて傾斜させている。なお、レンズ装着部１ｃを傾斜させることによって、使用者の視界を遮るように考えられるが、使用者の目６とレンズ装着部１ｃが近接しているために、視界を邪魔することはない。そして、レンズ装着部１ｃには、レンズ５を装着させるための複数のネジ止め用の小孔１ｄが各々形成されている。このように形成されたフレーム１は、一般的なメガネフレームと同様に、金属またはブラスチック、或いは金属とブラスチックの複合素材によって所望のデザインに形成されている。
【００１５】  一方、フレーム１のレンズ装着部１ｃに装着されるレンズ５は、周知のように、ガラスやプラスチックによって所望の形状に形成されている。そして、レンズ装着部１ｃに形成された小孔１ｄに対応する位置には、各々透孔５ａが形成されている。そして、左右一対のレンズ５は、図２に示すように、使用者の顔面側に対応する内方に装着されていて、フレーム１の外方を露出させ、使用者の目６とレンズ５が対向するようにしている。
【００１６】  レンズ装着部１ｃにレンズ５を装着させるには、図３に示すように、ネジ７によってネジ止めされる。このネジ止めの手段としては、例えば、図３（Ａ）（Ｂ）に示す手段がある。すなわち、図３（Ａ）に示す例は、フレーム１のレンズ装着部１ｃの小孔１ｄとレンズ５の透孔５ａのネジ７を挿通させ、扁平なナット８によって固定している。また、図３（Ｂ）に示す例は、レンズ装着部１ｃの小孔１ｄに雌ネジを形成し、レンズ５の透孔５ａにネジ７を挿通させ、小孔１ｄに形成された雌ネジによって固定するようにしている。
【００１７】  以上説明したように、レンズ装着部１ｃにレンズ５をネジ止めによって装着することから、フレーム１に対して種々のデザインのレンズ５を容易に交換することが可能となる。図４は、レンズ交換の状態を示し、図１に示す略四角形のレンズ５の代わりに楕円形のレンズ５を装着する場合には、図３に示したネジ止めの手段によって容易に交換することができる。この場合、レンズ５にはレンズ装着部１ｃの小孔１ｄに対応するように予め透孔５ａが形成されている。このように、各種のレンズ５の形成する透孔５ａの位置、レンズ装着部１ｃの小孔１ｄの位置を一定の仕様に標準化することによって、フレーム１とレンズを使用者の好みに応じて任意の組み合わせにすることが可能となる。
【００１８】  以上、本考案を実施例に基づき具体的に説明したが、本考案は上記実施例に限定されるものではなく、その要旨を逸脱しない範囲で種々変形可能であることは言うまでもない。前述したメガネフレームの形状は一例を示すもので、レンズ装着部やブリッジ部を円弧状にするなど、他の形状に変更しても良い。また、メガネフレームの断面形状も、円形または長方形などの多角形、或いは楕円形など任意の形状に変形しても良い。
【符号の説明】
【００１９】  １    フレーム
１ａ  ヨロイ部
１ｂ  ブリッジ部
１ｃ  レンズ装着部
１ｄ  小孔
５    レンズ
５ａ  透孔
【図１】
0003208441.tif 000003
【図２】
0003208441.tif 000004
【図３】
0003208441.tif 000005
【図４】
0003208441.tif 000006